(57)【要約】【課題】アルバムなどのコンテンツの名前を容易に登録することができるようにする。【解決手段】アルバム名の入力は、ソフトウエアキーボードなどを操作して一文字一文字入力するのではなく、モニタ２に表示される質問に対して、一覧の中から答えを選択していく形で進められる。質問に対する答えとしてユーザにより選択されたアルバム名構成データが、ユーザにより選択されたアルバムのジャンル用として用意されるアルバム名作成パターンに従って組み合わせられ、アルバム名の候補が作成される。作成された候補がユーザに提示され、提示されたものの中から選択された候補が、対象にしているアルバムのアルバム名として登録される。本発明は、コンテンツを扱う装置に適用することができる。【選択図】図１
2009211609.tif 000002
【特許請求の範囲】
【請求項１】
名前を登録する対象のコンテンツのジャンルに応じた質問の内容を表す文章と、質問に対する答えのカテゴリと同じカテゴリに分類される、名前を構成するデータである構成データの一覧とを表示させる表示制御手段と、
前記表示制御手段により表示された一覧の中から選択された前記構成データを含む名前を、対象とするコンテンツの名前として登録する登録手段と
を備える情報処理装置。
【請求項２】
前記構成データをカテゴリ別に分類して管理するとともに、コンテンツのジャンル毎に、複数の質問の内容を表す文章と、それぞれの質問に対する答えのカテゴリを対応付けて管理する管理手段をさらに備える
請求項１に記載の情報処理装置。
【請求項３】
前記表示制御手段は、質問の内容を表す文章を１つずつ、それぞれの質問に対する答えのカテゴリと同じカテゴリに分類される前記構成データの一覧とともに表示させ、
前記登録手段は、質問の内容を表す文章が１つずつ前記構成データの一覧とともに表示されることに応じてユーザにより選択された複数の前記構成データのうちの少なくとも１つを含む名前を、対象とするコンテンツの名前として登録する
請求項２に記載の情報処理装置。
【請求項４】
前記表示制御手段は、さらに、ユーザにより選択された複数の前記構成データのうちの少なくとも１つを含む名前を複数表示させ、
前記登録手段は、前記表示制御手段により表示された複数の名前の中から選択された名前を、対象とするコンテンツの名前として登録する
請求項３に記載の情報処理装置。
【請求項５】
前記管理手段は、さらに、コンテンツのジャンル毎に、前記構成データの組み合わせ方を複数管理し、
前記表示制御手段は、ユーザにより選択された複数の前記構成データのうちの少なくとも１つを含む、前記管理手段により管理される組み合わせ方に従って作成される複数の名前を表示させる
請求項４に記載の情報処理装置。
【請求項６】
前記管理手段は、さらに、ユーザにより入力された単語を前記構成データとしてカテゴリ別に分類して管理する
請求項２に記載の情報処理装置。
【請求項７】
名前を登録する対象のコンテンツのジャンルに応じた質問の内容を表す文章と、質問に対する答えのカテゴリと同じカテゴリに分類される、名前を構成するデータである構成データの一覧とを表示させ、
表示させた一覧の中から選択された前記構成データを含む名前を、対象とするコンテンツの名前として登録する
ステップを含む情報処理方法。
【請求項８】
名前を登録する対象のコンテンツのジャンルに応じた質問の内容を表す文章と、質問に対する答えのカテゴリと同じカテゴリに分類される、名前を構成するデータである構成データの一覧とを表示させ、
表示させた一覧の中から選択された前記構成データを含む名前を、対象とするコンテンツの名前として登録する
ステップを含む処理をコンピュータに実行させるプログラム。
【発明の詳細な説明】
【技術分野】
【０００１】
本発明は、情報処理装置、情報処理方法、およびプログラムに関し、特に、コンテンツの名前を容易に登録することができるようにした情報処理装置、情報処理方法、およびプログラムに関する。
【背景技術】
【０００２】
近年、デジタルカメラで撮影した写真（画像）をハードディスクなどの記録媒体を備えるフォトストレージ装置に取り込み、フォトストレージ装置と接続されるテレビジョン受像機に表示させて写真を見るスタイルが提案されている。これにより、一人で見るのではなく、家族全員で同じ写真を一緒に鑑賞したりすることができる。
【０００３】
このようなフォトストレージ装置に保存されているたくさんの写真の中から見たい写真を探す場合、写真のまとまりの単位であるアルバムのアルバム名は非常に有効な情報になる。
【０００４】
例えば、ある日に行われたイベントで撮影した写真をフォトストレージ装置に取り込んだときに、日付とイベント名を組み合わせた名前をアルバム名として登録しておくことにより、ユーザは、アルバムのリストなどから、そのイベントで撮影した写真をアルバム名を参考にして見つけることができる。
【０００５】
特許文献１には、ホワイトバランス情報、フォーカス情報などの撮影情報に基づいて、どのような種別のシーンの画像であるのかを判断し、画像データを格納するフォルダに名前を設定する技術が開示されている。
【特許文献１】特開２０００−１６５８１０号公報
【発明の開示】
【発明が解決しようとする課題】
【０００６】
しかし、従来のフォトストレージ装置においては、ソフトウエアキーボードを見ながらリモートコントローラを操作するなどして一文字一文字入力する必要があることから、アルバム名を登録する作業は非常に手間のかかる作業であった。
【０００７】
このため、ほとんどのユーザは、アルバム名を登録する機能がフォトストレージ装置に用意されているとしてもその機能を利用しないため、撮影を行ったデジタルカメラなどによって自動的に設定された名前がそのままアルバム名として使用されることが多い。
【０００８】
日付などをフォルダ名とするフォルダに写真を格納して記録するデジタルカメラから写真を取り込んだフォトストレージ装置においては、同じフォルダに格納されていた写真が同じアルバムによって管理され、フォルダ名がそのアルバムのアルバム名として登録されるようになされている。アルバムのリストには日付が表示されるだけであるから、このようにして登録されたアルバム名を参考にしたとしても内容をイメージすることができず、目的の写真を探すことが難しくなる。
【０００９】
本発明はこのような状況に鑑みてなされたものであり、アルバムなどのコンテンツの名前を容易に登録することができるようにするものである。
【課題を解決するための手段】
【００１０】
本発明の一側面の情報処理装置は、名前を登録する対象のコンテンツのジャンルに応じた質問の内容を表す文章と、質問に対する答えのカテゴリと同じカテゴリに分類される、名前を構成するデータである構成データの一覧とを表示させる表示制御手段と、前記表示制御手段により表示された一覧の中から選択された前記構成データを含む名前を、対象とするコンテンツの名前として登録する登録手段とを備える。
【００１１】
前記構成データをカテゴリ別に分類して管理するとともに、コンテンツのジャンル毎に、複数の質問の内容を表す文章と、それぞれの質問に対する答えのカテゴリを対応付けて管理する管理手段をさらに設けることができる。
【００１２】
前記表示制御手段には、質問の内容を表す文章を１つずつ、それぞれの質問に対する答えのカテゴリと同じカテゴリに分類される前記構成データの一覧とともに表示させ、前記登録手段には、質問の内容を表す文章が１つずつ前記構成データの一覧とともに表示されることに応じてユーザにより選択された複数の前記構成データのうちの少なくとも１つを含む名前を、対象とするコンテンツの名前として登録させることができる。
【００１３】
前記表示制御手段には、さらに、ユーザにより選択された複数の前記構成データのうちの少なくとも１つを含む名前を複数表示させ、前記登録手段には、前記表示制御手段により表示された複数の名前の中から選択された名前を、対象とするコンテンツの名前として登録させることができる。
【００１４】
前記管理手段には、さらに、コンテンツのジャンル毎に、前記構成データの組み合わせ方を複数管理させ、前記表示制御手段には、ユーザにより選択された複数の前記構成データのうちの少なくとも１つを含む、前記管理手段により管理される組み合わせ方に従って作成される複数の名前を表示させることができる。
【００１５】
前記管理手段には、さらに、ユーザにより入力された単語を前記構成データとしてカテゴリ別に分類して管理させることができる。
【００１６】
本発明の一側面の情報処理方法またはプログラムは、名前を登録する対象のコンテンツのジャンルに応じた質問の内容を表す文章と、質問に対する答えのカテゴリと同じカテゴリに分類される、名前を構成するデータである構成データの一覧とを表示させ、表示させた一覧の中から選択された前記構成データを含む名前を、対象とするコンテンツの名前として登録するステップを含む。
【００１７】
本発明の一側面においては、名前を登録する対象のコンテンツのジャンルに応じた質問の内容を表す文章と、質問に対する答えのカテゴリと同じカテゴリに分類される、名前を構成するデータである構成データの一覧とが表示され、表示された一覧の中から選択された前記構成データを含む名前が、対象とするコンテンツの名前として登録される。
【発明の効果】
【００１８】
本発明の一側面によれば、ユーザはコンテンツの名前を容易に登録することができる。
【発明を実施するための最良の形態】
【００１９】
図１は、本発明の一実施形態に係るフォトストレージ装置１を含む構成の例を示す図である。
【００２０】
図１に示されるように、フォトストレージ装置１は、ケーブルを介してテレビジョン受像機などのモニタ２に接続される。
【００２１】
フォトストレージ装置１は、デジタルカメラや、メモリカードなどの外部メディアから写真（画像）を取り込み、取り込んだ写真をハードディスクやフラッシュメモリなどの内蔵の蓄積デバイスに記録させて管理する。フォトストレージ装置１においては、アルバム単位で写真が管理されるようになされている。
【００２２】
ユーザは、リモートコントローラ３を操作してアルバムのリストをモニタ２に表示させ、リスト表示されたアルバムの中から所定のアルバムを選択することによって、選択したアルバムによって管理されている写真をモニタ２に表示させることができる。また、ユーザは、リモートコントローラ３を操作し、アルバム名を登録したりして写真を管理することができる。リモートコントローラ３は、ユーザの要求をフォトストレージ装置１に入力するために使用される。
【００２３】
後に詳述するように、アルバム名の入力は、ソフトウエアキーボードなどを操作して一文字一文字入力するのではなく、モニタ２に表示される質問に対して、一覧の中から答えを選択していく形で進められる。すなわち、フォトストレージ装置１には、アルバム名の入力を支援する機能が用意されている。そのような入力支援機能を用いて入力された名前が、対象のアルバムのアルバム名として登録され、フォトストレージ装置１により管理される。
【００２４】
図２は、フォトストレージ装置１のハードウエア構成例を示すブロック図である。
【００２５】
図２に示されるように、フォトストレージ装置１は、リモートコントローラ受信デバイス１１、蓄積デバイス１２、出力制御デバイス１３、バス１４、CPU(Central Processing Unit)１５、RAM(Random Access Memory)１６、およびROM(Read Only Memory)１７から構成される。各部はバス１４を介して接続される。
【００２６】
リモートコントローラ受信デバイス１１は、リモートコントローラ３からの信号を受信し、ユーザの操作を検出する。リモートコントローラ受信デバイス１１は、ユーザの操作の内容を表す情報を、バス１４を介してCPU１５に出力する。リモートコントローラ３には、上下左右ボタン、決定ボタンなどのボタンが設けられる。
【００２７】
蓄積デバイス１２はハードディスクやフラッシュメモリなどよりなり、図示せぬインタフェースを介してデジタルカメラなどから取り込まれた写真データを記録する。例えば、蓄積デバイス１２においては、同じアルバムによって管理される写真データが同じフォルダに格納され、ユーザにより登録されたアルバム名が対応付けられる。
【００２８】
出力制御デバイス１３は、CPU１５による制御に従って、デコード済みの写真データをRAM１６から読み出し、読み出した写真データに基づいて写真をモニタ２に表示させる。また、出力制御デバイス１３は、CPU１５による制御に従って、アルバムのリストやアルバム名の入力画面などの、ユーザが写真の管理を行う際に用いる画面をモニタ２に表示させる。
【００２９】
CPU１５は、ROM１７に記憶されているプログラムをRAM１６にロードして実行することによってフォトストレージ装置１の全体の動作を制御する。例えば、CPU１５は、アルバム名の入力支援を行うのに必要な情報を管理する。また、CPU１５は、蓄積デバイス１２に記録されている写真データをデコードし、デコード済みの写真データをRAM１６に記録させて写真を表示させることなども行う。
【００３０】
フォトストレージ装置１においては、アルバム名の入力支援を行うのに必要な情報として、アルバム名を構成する文字、数字、記号などのデータであるアルバム名構成データのリスト（アルバム名構成データリスト）、複数の質問からなる質問パターン、アルバム名構成データの組み合わせ方を規定するアルバム名作成パターンが管理される。
【００３１】
図３は、アルバム名構成データリストの例を示す図である。
【００３２】
図３に示されるように、アルバム名構成データリストは、アルバム名構成データをカテゴリ別に分類するリストである。図３の例においては、「ジャンル」、「場所」、「人」、「イベント」のそれぞれのカテゴリにアルバム名構成データが分類されている。
【００３３】
「ジャンル」のカテゴリに分類される１つ目のアルバム名構成データは「旅行」とされ、２つ目のアルバム名構成データは「飲み会／パーティ」とされている。「ジャンル」のカテゴリに分類される３つ目のアルバム名構成データは「フォト作品」とされ、４つ目のアルバム名構成データは「日常」とされている。
【００３４】
同様に、「場所」のカテゴリに分類される１つ目のアルバム名構成データは「北海道」とされ、２つ目のアルバム名構成データは「東北」とされている。「場所」のカテゴリに分類される３つ目のアルバム名構成データは「箱根」とされ、４つ目のアルバム名構成データは「黒川温泉」とされている。
【００３５】
アルバム名構成データには、予め用意されたものと、後述するようなソフトウエアキーボードを用いるなどしてユーザによって直接入力され、後から追加されたものが存在する。
【００３６】
例えば、「場所」のカテゴリにおいては、「北海道」、「東北」、「箱根」などの単語はアルバム名に一般的に使用する単語であると考えられるため、アルバム名構成データとして予め用意される。一方、図３の楕円＃１で示す「黒川温泉」は、ユーザによって後から追加されたものである。このように、ユーザは、アルバム名構成データリストに登録するアルバム名構成データをカスタマイズすることができる。楕円＃２で示す「人」のカテゴリの「まきちゃん」も、ユーザによって後から追加されたアルバム名構成データである。
【００３７】
「人」、「イベント」などの他のカテゴリについても、それぞれアルバム名構成データが対応付けられる。
【００３８】
図４は、質問パターンの例を示す図である。
【００３９】
図４に示されるように、質問パターンはジャンル毎に用意される。１つの質問パターンは、質問に対する答えになるアルバム名構成データのカテゴリが異なる複数の質問を組み合わせて構成される。図４のそれぞれの質問の欄の上段に示される文章は質問の内容を表す質問文であり、下段のかっこの中に示される単語は質問に対する答えになるアルバム名構成データのカテゴリである。このように、質問文は、質問に対する答えになるアルバム名構成データのカテゴリと対応付けて管理される。
【００４０】
「旅行」のジャンルに対しては、場所についての質問が第１質問として用意され、人についての質問が第２質問として用意されている。ユーザに対して第１質問を提示するとき、画面には、「どこへ行きましたか？」の質問文と、「場所」のカテゴリに分類されるアルバム名構成データの一覧が表示される。また、第２質問を提示するとき、画面には、「誰と一緒でしたか？」の質問文と、「人」のカテゴリに分類されるアルバム名構成データの一覧が表示される。
【００４１】
「飲み会／パーティ」のジャンルに対しては、イベントについての質問が第１質問として用意され、人についての質問が第２質問として用意され、場所についての質問が第３質問として用意されている。ユーザに対して第１質問を提示するとき、画面には、「どんなイベントでしたか？」の質問文と、「イベント」のカテゴリに分類されるアルバム名構成データの一覧が表示される。また、第２質問を提示するとき、画面には、「誰と一緒でしたか？」の質問文と、「人」のカテゴリに分類されるアルバム名構成データの一覧が表示される。第３質問を提示するとき、画面には、「どこで開催されましたか？」の質問文と、「場所」のカテゴリに分類されるアルバム名構成データの一覧が表示される。
【００４２】
このように、フォトストレージ装置１においては、ユーザに提示する質問がジャンル毎に定義され、管理される。質問の数がジャンルによって異なることもある。ジャンルによっては、アルバム名の入力という観点からは不必要な質問もあり、そのような不必要な質問を省略することによって、アルバム名を決定するまでの時間を短縮させることが可能になる。例えば、アルバム名を登録しようとしている対象のアルバムが「旅行」のジャンルのアルバムである場合、「旅行」のアルバムのアルバム名を入力させるという観点からは、例えば「飲み会／パーティ」のジャンルに用意される「どんなイベントでしたか？」の質問は不要な質問といえる。
【００４３】
図５は、アルバム名作成パターンの例を示す図である。
【００４４】
図５に示されるように、アルバム名作成パターンはジャンル毎に複数用意される。
【００４５】
「旅行」のジャンルに対しては、アルバム名作成パターンとして第１乃至第３パターンが用意されている。「旅行」のジャンルのアルバム名作成パターンのうちの第１パターンは、第１質問に対する答えとして取得された「場所」のカテゴリのアルバム名構成データと、第２質問に対する答えとして取得された「人」のカテゴリのアルバム名構成データと、「旅行」の単語をその順番で組み合わせることを規定するパターンである。
【００４６】
図４を参照して説明したように、「旅行」のジャンルに対しては、「場所」のカテゴリのアルバム名構成データを選択させる質問が第１質問として用意され、「人」のカテゴリのアルバム名構成データを選択させる質問が第２質問として用意されている。
【００４７】
また、「旅行」のジャンルのアルバム名作成パターンのうちの第２パターンは、第１質問に対する答えとして取得された「場所」のカテゴリのアルバム名構成データと、「旅行」の単語をその順番で組み合わせることを規定するパターンである。第３パターンは、「旅行」の単語と、「（」の記号と、第１質問に対する答えとして取得された「場所」のカテゴリのアルバム名構成データと、「）」の記号をその順番で組み合わせることを規定するパターンである。
【００４８】
同様に、「飲み会／パーティ」のジャンルに対しても、アルバム名作成パターンとして第１乃至第３パターンが用意されている。「飲み会／パーティ」のジャンルのアルバム名作成パターンのうちの第１パターンは、第１質問に対する答えとして取得された「イベント」のカテゴリのアルバム名構成データと、「（」の記号と、第３質問に対する答えとして取得された「場所」のカテゴリのアルバム名構成データと、「／」の記号と、第２質問に対する答えとして取得された「人」のカテゴリのアルバム名構成データと、「）」の記号をその順番で組み合わせることを規定するパターンである。
【００４９】
図４を参照して説明したように、「飲み会／パーティ」のジャンルに対しては、「イベント」のカテゴリのアルバム名構成データを選択させる質問が第１質問として用意され、「人」のカテゴリのアルバム名構成データを選択させる質問が第２質問として用意されている。また、「場所」のカテゴリのアルバム名構成データを選択させる質問が第３質問として用意されている。
【００５０】
「飲み会／パーティ」のジャンルのアルバム名作成パターンのうちの第２パターンは、第１質問に対する答えとして取得された「イベント」のカテゴリのアルバム名構成データと、「（」の記号と、第３質問に対する答えとして取得された「場所」のカテゴリのアルバム名構成データと、「）」の記号をその順番で組み合わせることを規定するパターンである。第３パターンは、第１質問に対する答えとして取得された「イベント」のカテゴリのアルバム名構成データと、「（」の記号と、第２質問に対する答えとして取得された「人」のカテゴリのアルバム名構成データと、「）」の記号をその順番で組み合わせることを規定するパターンである。
【００５１】
ここで、以上のようなアルバム名構成データリスト、質問パターン、アルバム名作成パターンを用いて実現されるアルバム名の入力手順について説明する。
【００５２】
図６は、モニタ２に表示されるジャンル選択画面の例を示す図である。
【００５３】
図６に示されるジャンル選択画面は、例えば、アルバムのリストから所定のアルバムが選択され、選択されたアルバムのアルバム名を登録することが指示されたときに表示される。写真データの取り込みが完了した後に図６に示されるような画面が表示され、アルバム名の入力が開始されるようにしてもよい。
【００５４】
図６の例においては、「ジャンルを選択してください」のメッセージが表示され、その下の表示欄２１に、図３のアルバム名構成データリストにおいて「ジャンル」のカテゴリに分類される「旅行」、「飲み会／パーティ」、「フォト作品」、「日常」が表示されている。表示欄２１の右側にはスライドバーが表示されており、表示をスクロールさせることによって、「ジャンル」のカテゴリに分類されるこれ以外のジャンルを表示させることができるようになされている。
【００５５】
また、図６の例においては、ポインタＰが「旅行」の左隣に表示されている。ユーザは、リモートコントローラ３の上ボタンまたは下ボタンを押すことによって、アルバム名を登録しようとしている対象のアルバムの内容と関係の深いジャンルの隣にポインタＰを移動させ、決定ボタンを押すことによってジャンルを選択することができる。
【００５６】
図７は、「旅行」のジャンルが選択されたときに図６のジャンル選択画面に替えて表示されるアルバム名構成データの選択画面の例を示す図である。
【００５７】
図７の例においては、「どこへ行きましたか？」のメッセージが表示され、その下の表示欄２１に、図３のアルバム名構成データリストにおいて「場所」のカテゴリに分類される「北海道」、「東北」、「箱根」のアルバム名構成データが表示されている。表示欄２１の右側にはスライドバーが表示されており、表示をスクロールさせることによって、「場所」のカテゴリに分類されるこれ以外のアルバム名構成データを表示させることができるようになされている。
【００５８】
図４を参照して説明したように、「旅行」のジャンルに対しては場所についての質問が第１質問として用意されているため、ジャンルを選択した直後のタイミングでは、「どこへ行きましたか？」の質問文と、「場所」のカテゴリに分類されるアルバム名構成データの一覧を含む選択画面が表示される。
【００５９】
ユーザは、リモートコントローラ３の上ボタンまたは下ボタンを押すことによって質問の答えに相当するアルバム名構成データの隣にポインタＰを移動させ、決定ボタンを押すことによってそのアルバム名構成データを選択することができる。
【００６０】
図７の例においては、表示欄２１の右側に、第１質問に対する答えを直接入力するときに操作される直接入力ボタン２２が表示されている。ユーザは、リモートコントローラ３を操作して直接入力ボタン２２を押すことで、第１質問に対する答えを表示欄２１に表示されるものの中から選択するのではなく、直接入力することができる。
【００６１】
図８は、図７の直接入力ボタン２２が押されたときに表示される直接入力画面の例を示す図である。
【００６２】
図８の例においては、入力欄３１が中央上方に表示され、その下にソフトウエアキーボードが表示されている。ソフトウエアキーボードは、平仮名を入力するときに操作されるボタン群であるボタン群３２Ａと、平仮名または記号を入力するときに操作されるボタン群３２Ｂの間に、変換ボタン３３、確定ボタン３４、左削除ボタン３５、スペースボタン３６、左ボタン３７Ａ、および右ボタン３７Ｂが配置されることによって構成される。ボタン群３２Ｂの右側には、入力欄３１に入力した単語をアルバム名構成データとして登録するときに操作される入力ボタン３８、および、直接入力を中止するときに操作される中止ボタン３９が表示されている。
【００６３】
ユーザは、リモートコントローラ３の上下左右ボタンを押すことによってカーソルＣを移動させ、リモートコントローラ３の決定ボタンや確定ボタン３４などのボタンを押すことによって単語を入力欄３１に入力することができる。図８の例においては、「黒川温泉」の単語が入力されている。
【００６４】
例えば、図８の状態で入力ボタン３８が押されたとき、「黒川温泉」の単語が「場所」のカテゴリに分類されるアルバム名構成データとしてアルバム名構成データリストに登録される。また、第１質問に対する答えとして「黒川温泉」がフォトストレージ装置１により取得される。アルバム名構成データとして登録された「黒川温泉」の単語は、次回、同じ、場所についての質問をするときに、質問文とともに表示されるアルバム名構成データの一覧の中に含められる。
【００６５】
図９は、図８の状態で入力ボタン３８が押されたときに直接入力画面に替えて表示されるアルバム名構成データの選択画面の例を示す図である。
【００６６】
図９の例においては、「誰と一緒でしたか？」のメッセージが表示され、その下の表示欄２１に、図３のアルバム名構成データリストにおいて「人」のカテゴリに分類される「家族」、「ともだち」、「パパ」のアルバム名構成データが表示されている。表示欄２１の右側にはスライドバーが表示されており、表示をスクロールさせることによって、「人」のカテゴリに分類されるこれ以外のアルバム名構成データを表示させることができるようになされている。
【００６７】
図４を参照して説明したように、「旅行」のジャンルに対しては人についての質問が第２質問として用意されているため、第１質問に対する答えが取得された直後のタイミングでは、「誰と一緒でしたか？」の質問文と、「人」のカテゴリに分類されるアルバム名構成データの一覧を含む選択画面が表示される。
【００６８】
ユーザは、リモートコントローラ３の上ボタンまたは下ボタンを押すことによって質問の答えに相当するアルバム名構成データの隣にポインタＰを移動させ、決定ボタンを押すことによってそのアルバム名構成データを選択することができる。
【００６９】
また、ユーザは、直接入力ボタン２２を押すことによって、第２質問に対する答えを直接入力することができる。図９の直接入力ボタン２２が押されたときに表示される直接入力画面から入力された「まきちゃん」などの単語は、図３に示されるように「人」のカテゴリのアルバム名構成データとして登録される。
【００７０】
図１０は、第２質問に対する答えが選択されたときに図９のアルバム名構成データの選択画面に替えて表示されるアルバム名選択画面の例を示す図である。
【００７１】
図１０に示されるアルバム名選択画面は、図８の直接入力画面から「黒川温泉」のアルバム名構成データが第１質問に対する答えとして選択され、図９の選択画面から「家族」のアルバム名構成データが第２質問に対する答えとして選択された場合に表示される画面である。アルバムのジャンルとして「旅行」が選択されたときに使用される質問は図４を参照して説明したように第２質問までであるから、第２質問に対する答えが選択された時点で、これ以上の質問は提示されない。
【００７２】
図１０の例においては、「アルバム名を選択してください」のメッセージが表示され、その下の表示欄２１に、これまでの質問に対する答えとして選択された「黒川温泉」と「家族」のうちの少なくともいずれかを含むアルバム名の候補が一覧表示されている。一覧表示されるそれぞれのアルバム名の候補は、「旅行」のジャンルのアルバム名作成パターンに従ってアルバム名構成データを組み合わせることによって作成されたものである。
【００７３】
図１０の表示欄２１の一番上には、図５を参照して説明した「旅行」のジャンルに対して用意されているアルバム名作成パターンのうちの第１パターンに従って作成された「黒川温泉家族旅行」が表示されている。上述したように、第１パターンは、第１質問に対する答えとして取得された「場所」のカテゴリのアルバム名構成データと、第２質問に対する答えとして取得された「人」のカテゴリのアルバム名構成データと、「旅行」の単語をその順番で組み合わせることを規定するパターンである。
【００７４】
また、表示欄２１の上から２番目には、「旅行」のジャンルに対して用意されているアルバム名作成パターンのうちの第２パターンに従って作成された「黒川温泉旅行」が表示されている。第２パターンは、第１質問に対する答えとして取得された「場所」のカテゴリのアルバム名構成データと、「旅行」の単語をその順番で組み合わせることを規定するパターンである。
【００７５】
同様に、表示欄２１の上から３番目には、「旅行」のジャンルに対して用意されているアルバム名作成パターンのうちの第３パターンに従って作成された「旅行（黒川温泉）」が表示されている。上から４番目には、「旅行」のジャンルに対して用意されているアルバム名作成パターンのうちの所定のパターンに従って作成された「黒川温泉」が表示されている。
【００７６】
ユーザは、リモートコントローラ３の上ボタンまたは下ボタンを押すことによって、好みのアルバム名の候補の隣にポインタＰを移動させ、決定ボタンを押すことによってそのアルバム名を選択することができる。図１０のアルバム名選択画面において選択されたアルバム名は、対象になっているアルバムのアルバム名として登録される。
【００７７】
図１０のアルバム名選択画面にも直接入力ボタン２２が表示されており、直接入力ボタン２２を押したときに表示される直接入力画面から、ユーザがアルバム名を直接入力することができるようになされている。
【００７８】
このように、アルバム名に使用されそうな単語がアルバム名構成データとして予め用意されており、その中から選択されたアルバム名構成データを用いてアルバム名が自動的に作成されるようにすることにより、アルバム名を入力する手間を軽減することができる。ユーザは、表示されるものの中から質問に答える形で１つずつ選択していくだけで済む。
【００７９】
また、複数の選択画面を順次表示し、ユーザにアルバム名構成データを１つずつ選択させるようにすることによって、画面に一度に表示される項目の数を減らすことができる。これにより、複数の項目を一度に表示してそれらをまとめて選択させる場合に較べて、ユーザが選択しやすいインタフェースを実現することが可能になる。
【００８０】
さらに、「ジャンル」の選択が最初に行われ、使用される質問がジャンル毎に変化するようにすることによって、不必要な質問をなくし、アルバム名を登録するまでの時間を短縮させることが可能になる。
【００８１】
質問の答えとして一覧表示されるアルバム名構成データの中に適当なものがない場合に答えを直接入力することができるようにすることにより、ユーザの要求に幅広く応えることが可能になる。直接入力された単語などは、質問の答えのカテゴリと同じカテゴリのアルバム名構成データとして登録され、次回、同じカテゴリの質問時に表示されるため、ユーザは、同じ単語を質問に対する答えとして選択したい場合でも、その単語を再度入力する必要がない。
【００８２】
予め用意されているアルバム名作成パターンに従って複数のアルバム名が作成され、候補として提示されるため、ユーザは、複数の候補の中から、気に入ったアルバム名を選択することができる。アルバム名作成パターンはジャンル毎に定義されているため、ジャンルに応じて適切なアルバム名を作成することが可能になる。
【００８３】
以上のようにしてアルバム名を入力させるフォトストレージ装置１の一連の処理についてはフローチャートを参照して後述する。
【００８４】
図１１は、フォトストレージ装置１の機能構成例を示すブロック図である。図１１に示す機能部のうちの少なくとも一部は、図２のCPU１５により所定のプログラムが実行されることによって実現される。
【００８５】
図１１に示されるように、フォトストレージ装置１においては、リスト／パターン管理部５１、表示制御部５２、および登録部５３が実現される。
【００８６】
リスト／パターン管理部５１は、アルバム名構成データリスト、質問パターン、アルバム名作成パターンを管理する。リスト／パターン管理部５１は、リモートコントローラ受信デバイス１１から供給される情報によって表されるユーザの操作に応じて、管理するそれらの情報を、適宜、表示制御部５２、登録部５３に出力する。
【００８７】
例えば、リスト／パターン管理部５１は、アルバム名の登録が指示されたとき、アルバム名構成データリストにおいて「ジャンル」のカテゴリに分類されているアルバム名構成データを表示制御部５２に出力し、図６に示されるようなジャンル選択画面を表示させる。また、リスト／パターン管理部５１は、ジャンルが選択されたとき、選択されたジャンルに応じた質問文と、質問の答えになるアルバム名構成データの一覧の情報を質問パターンを参照して表示制御部５２に出力し、図７に示されるような選択画面を表示させる。
【００８８】
さらに、リスト／パターン管理部５１は、ユーザにより選択されたジャンルに応じたアルバム名作成パターンを登録部５３に出力する。
【００８９】
アルバム名構成データとして登録する単語がユーザにより直接入力されたとき、リスト／パターン管理部５１は、入力された単語をアルバム名構成データとしてアルバム名構成データリストに登録することも行う。
【００９０】
表示制御部５２は、出力制御デバイス１３を制御し、リスト／パターン管理部５１、または登録部５３から供給された情報に基づいて上述したような各種の画面をモニタ２に表示させる。
【００９１】
登録部５３は、質問に対する答えとしてユーザにより選択されたアルバム名構成データをリスト／パターン管理部５１から供給されたアルバム名作成パターンに従って組み合わせ、アルバム名の候補を複数作成する。登録部５３は、作成した複数のアルバム名の候補を表示制御部５２に出力し、図１０に示されるようなアルバム名選択画面を表示させる。
【００９２】
また、登録部５３は、アルバム名選択画面から選択された候補を、対象になっているアルバムのアルバム名として登録する。登録されたアルバム名は、アルバムのデータと対応付けて蓄積デバイス１２に記録される。
【００９３】
次に、図１２のフローチャートを参照して、フォトストレージ装置１のアルバム名入力処理について説明する。
【００９４】
この処理は、アルバム名を登録することが指示されたときに開始される。アルバム名を登録することが指示されたとき、リスト／パターン管理部５１から表示制御部５２に対して、「ジャンル」のカテゴリに分類されているアルバム名構成データが供給される。
【００９５】
ステップＳ１において、表示制御部５２は、リスト／パターン管理部５１から供給された情報に基づいて、図６に示されるようなジャンル選択画面を表示させる。ユーザは、対象のアルバムの内容と関係のあるジャンルをジャンル選択画面から選択することができる。
【００９６】
ステップＳ２において、リスト／パターン管理部５１はジャンルの選択結果を取得する。リスト／パターン管理部５１は、ユーザにより選択されたジャンルに応じた質問パターンを参照し、質問文と、質問の答えになるアルバム名構成データの一覧の情報を表示制御部５２に出力する。また、リスト／パターン管理部５１は、ユーザにより選択されたジャンルに応じたアルバム名作成パターンを登録部５３に出力する。
【００９７】
ステップＳ３において、表示制御部５２は、リスト／パターン管理部５１から供給された情報に基づいて、次の質問の答えになるアルバム名構成データの選択画面を表示させる。ジャンルが選択された直後には、第１質問の質問文と、質問の答えになるアルバム名構成データの一覧を含む選択画面が表示されることになる。ユーザは、アルバム名構成データを一覧から選択したり、アルバム名構成データとして登録する単語の直接入力を指示したりすることができる。
【００９８】
ステップＳ４において、リスト／パターン管理部５１は、アルバム名構成データとして登録する単語の直接入力がユーザにより指示されたか否かを判定する。
【００９９】
単語の直接入力が指示されていないとステップＳ４において判定した場合、ステップＳ５において、リスト／パターン管理部５１は、アルバム名構成データの選択結果を取得する。アルバム名構成データの選択結果は登録部５３にも供給される。
【０１００】
一方、単語の直接入力が指示されたとステップＳ４において判定した場合、ステップＳ６において、表示制御部５２は、図８に示されるような直接入力画面を表示させる。ユーザは、アルバム名構成データとして登録する好みの単語を自ら入力することができる。
【０１０１】
ステップＳ７において、リスト／パターン管理部５１は、直接入力画面から入力された単語の入力結果を取得する。入力結果は登録部５３にも供給される。
【０１０２】
ステップＳ８において、リスト／パターン管理部５１は、ユーザにより入力された単語を、現在の質問の答えになるアルバム名構成データのカテゴリと同じカテゴリによって分類されるようにアルバム名構成データリストに登録する。
【０１０３】
ステップＳ５において選択結果を取得した後、またはステップＳ８においてアルバム名構成データを登録した後、ステップＳ９において、リスト／パターン管理部５１は、次の質問の答えになるアルバム名構成データの選択が残っているか否かを判定する。
【０１０４】
質問パターンとして用意されている質問の中に、まだ提示していない質問があることから、次の質問の答えになるアルバム名構成データの選択が残っているとステップＳ９において判定した場合、リスト／パターン管理部５１は、ステップＳ３に戻り、それ以降の処理を行う。すなわち、次の質問が提示され、アルバム名構成データの選択が続けられる。
【０１０５】
質問パターンに用意される最後の質問に対する答えになるアルバム名構成データが取得されたことから、次の質問の答えになるアルバム名構成データの選択がないとステップＳ９において判定された場合、ステップＳ１０において、登録部５３は、それまでに取得されたアルバム名構成データを、アルバム名作成パターンに従って組み合わせ、アルバム名の候補を作成する。作成されたアルバム名の候補は表示制御部５２に供給される。
【０１０６】
ステップＳ１１において、表示制御部５２は、登録部５３により作成されたアルバム名の候補の一覧を含む、図１０に示されるようなアルバム名選択画面を表示させる。ユーザは、一覧表示された候補の中から好みのアルバム名を選択することができる。
【０１０７】
ステップＳ１２において、登録部５３は、アルバム名の選択結果を取得する。
【０１０８】
ステップＳ１３において、登録部５３は、蓄積デバイス１２に記録されているフォルダの名前を変更するなどして、ユーザにより選択されたアルバム名を対象になっているアルバムのアルバム名として登録し、処理を終了させる。
【０１０９】
以上の処理により、ユーザは、質問に答えていく形で、容易に、アルバム名を入力することができる。
【０１１０】
以上においては、質問に対する答えとしてユーザにより選択されたアルバム名構成データはアルバム名を作成するのに用いられるものとしたが、これ以外にも、ユーザにより選択されたアルバム名構成データをタグ情報としてアルバムと関連付けて保持しておき、タグ検索などの際に使用されるようにしてもよい。
【０１１１】
また、以上においては、写真のまとまりの単位であるアルバムの名前を登録する場合について説明したが、１枚の写真の名前の登録が上述したような手順で進められるようにしてもよい。また、動画の名前、音楽の名前、音楽のまとまりの単位であるプレイリストの名前などの各種のコンテンツの名前の登録が上述したような手順で進められるようにしてもよい。
【０１１２】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされる。
【０１１３】
図１３は、上述した一連の処理をプログラムにより実行するコンピュータのハードウエアの構成例を示すブロック図である。
【０１１４】
CPU６１、ROM６２、RAM６３は、バス６４により相互に接続されている。
【０１１５】
バス６４には、さらに、入出力インタフェース６５が接続されている。入出力インタフェース６５には、キーボード、マウス、マイクロホンなどよりなる入力部６６、ディスプレイ、スピーカなどよりなる出力部６７、ハードディスクや不揮発性のメモリなどよりなる記憶部６８、ネットワークインタフェースなどよりなる通信部６９、光ディスクや半導体メモリなどのリムーバブルメディア７１を駆動するドライブ７０が接続されている。
【０１１６】
以上のように構成されるコンピュータでは、CPU６１が、例えば、記憶部６８に記憶されているプログラムを入出力インタフェース６５及びバス６４を介してRAM６３にロードして実行することにより、上述した一連の処理が行われる。
【０１１７】
CPU６１が実行するプログラムは、例えばリムーバブルメディア７１に記録して、あるいは、ローカルエリアネットワーク、インターネット、デジタル放送といった、有線または無線の伝送媒体を介して提供され、記憶部６８にインストールされる。
【０１１８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１９】
本発明の実施の形態は、上述した実施の形態に限定されるものではなく、本発明の要旨を逸脱しない範囲において種々の変更が可能である。
【図面の簡単な説明】
【０１２０】
【図１】本発明の一実施形態に係るフォトストレージ装置を含む構成の例を示す図である。
【図２】フォトストレージ装置のハードウエア構成例を示すブロック図である。
【図３】アルバム名構成データリストの例を示す図である。
【図４】質問パターンの例を示す図である。
【図５】アルバム名作成パターンの例を示す図である。
【図６】ジャンル選択画面の例を示す図である。
【図７】アルバム名構成データの選択画面の例を示す図である。
【図８】直接入力画面の例を示す図である。
【図９】アルバム名構成データの選択画面の他の例を示す図である。
【図１０】アルバム名選択画面の例を示す図である。
【図１１】フォトストレージ装置の機能構成例を示すブロック図である。
【図１２】フォトストレージ装置のアルバム名入力処理について説明するフローチャートである。
【図１３】コンピュータのハードウエアの構成例を示すブロック図である。
【符号の説明】
【０１２１】
１  フォトストレージ装置，  ５１  リスト／パターン管理部，  ５２  表示制御部，  ５３  登録部
【図１】
2009211609.tif 000003
【図２】
2009211609.tif 000004
【図３】
2009211609.tif 000005
【図４】
2009211609.tif 000006
【図５】
2009211609.tif 000007
【図６】
2009211609.tif 000008
【図７】
2009211609.tif 000009
【図８】
2009211609.tif 000010
【図９】
2009211609.tif 000011
【図１０】
2009211609.tif 000012
【図１１】
2009211609.tif 000013
【図１２】
2009211609.tif 000014
【図１３】
2009211609.tif 000015